(57)【要約】      （修正有）【課題】猫など、砂や土などの上で排せつをする習慣を持つ動物をペットとして室内飼いする場合、砂や市販されている砂を模した粒などをペット用トイレに入れて利用することが一般的であるが、運搬や市販品ではコスト面の負担が大きく、またトイレに流すことができない製品では、ゴミとして処分することで環境負荷を高めることになるため、下水インフラに負荷をかけないトイレットペーパからなる粒を製造する装置を提供する。【解決手段】トイレットペーパを本体１芯受けにセットし、トイレットペーパの先端をレール２に沿わして装置Ｂに少し突っ込むように入れる。歯車装置Ａがモータで回転し、歯車装置Ａから突き出したささくれ棒Ｂ１がトイレットペーパに絡み、自転、公転しながら巻付いていく。巻きついたトイレットペーパは、刃Ｂ２の位置にて切断され、さらに圧縮されながら粒状になったトイレットペーパは排出部に到達し、多量の粒が完成する。【選択図】図１
2018068217.tif 000002
【特許請求の範囲】
【請求項１】
トイレットペーパーの芯を支え、軽い力でも安定した回転ができるようにした芯受け３とトイレットペーパーが引き出されるのと同時に、トイレットペーパーの先端部分から、幅を狭めながら軽く圧縮するためのレール２を備えた本体１と、前記レール２から送られるトイレットペーパーを絡めるための先が鋭く、一定の弾性力を持つ棘を有する針のような形状のささくれ棒Ｂ１と前記ささくれ棒Ｂ１複数を同時に自転させながら支柱Ｂ３を中心にして公転させることを可能とした遊星歯車機構を利用した歯車装置Ａと歯車装置Ａと連結してトイレットペーパーの粒を製造する装置Ｂからなる。
歯車装置Ａは、手動やモーターの回転動力が伝わる太陽歯車Ａ３と、太陽歯車Ａ３と接触して回転する、ささくれ棒Ｂ１を有する複数の遊星歯車Ａ２と、遊星歯車Ａ２の外側で接触して自転できるようにした内歯車Ａ１を備え、太陽歯車Ａ３の回転が遊星歯車Ａ２に伝わると、複数の遊星歯車Ａ２が同時に自転しながら、太陽歯車Ａ３の周りを公転する。
歯車装置Ａから突き出した、ささくれ棒Ｂ１を受け入れる側の装置Ｂは、ささくれ棒Ｂ１の自転により巻き付くトイレットペーパーを一定の長さで切断するための刃Ｂ２と、ささくれ棒Ｂ１の自転と公転を妨げず、装置の形状を維持するための支柱Ｂ３と天上・外壁・内壁を備え、前記天上・外壁・内壁はささくれ棒Ｂ１に巻き付き回転するトイレットペーパーの公転の動きに合わせて、幅・高さを狭めて圧縮するためのサイドレールＢ４および天上レールＢ５の役割も担い、圧縮してできたトイレットペーパーの粒を排出する排出部４を備える。
前記のような機構からなるトイレットペーパーの粒を製造する装置。
【発明の詳細な説明】
【技術分野】
【０００１】
本発明は、ペットの排せつ用に用いることを主目的とした、トイレで流せるトイレットペーパーからなる粒を製造する装置に関するものである。
【背景技術】
【０００２】
猫など、砂や土などの上で排せつをする習慣を持つ動物をペットとして室内飼いする場合、砂や市販されている砂を模した粒などをペット用トイレに入れて利用することが一般的である。
【発明の概要】
【発明が解決しようとする課題】
【０００３】
ペットの寿命は長くなってきており、排せつ用の砂は長期にわたり必要となるため、運搬や市販品ではコスト面で飼い主の負担が大きい。
【０００４】
またペットの排せつ物とともに砂を処分する場合、砂の素材によっては自治体で処理できないこともあり、処理できた場合もゴミを増やし環境負荷を高めることとなる。
【０００５】
トイレに流すことができると謳うペット用の砂があるが、トイレットペーパーよりも水に溶けにくく下水パイプの詰まりや傷みの要因となり得、トイレに流すことを禁止している自治体もある。
【課題を解決するための手段】
【０００６】
トイレットペーパーの芯を支え、軽い力でも安定した回転ができるようにした芯受け３とトイレットペーパーが引き出されるのと同時に、トイレットペーパーの先端部分から、幅を狭めながら軽く圧縮するためのレール２を備えた本体１と、前記レール２から送られるトイレットペーパーを絡めるための先が鋭く、一定の弾性力を持つ棘を有する針のような形状のささくれ棒Ｂ１と前記ささくれ棒Ｂ１複数を同時に自転させながら支柱Ｂ３を中心にして公転させることを可能とした遊星歯車機構を利用した歯車装置Ａと歯車装置Ａと連結してトイレットペーパーの粒を製造する装置Ｂからなる。
歯車装置Ａは、手動やモーターの回転動力が伝わる太陽歯車Ａ３と、太陽歯車Ａ３と接触して回転する、ささくれ棒Ｂ１を有する複数の遊星歯車Ａ２と、遊星歯車Ａ２の外側で接触して自転できるようにした内歯車Ａ１を備え、太陽歯車Ａ３の回転が遊星歯車Ａ２に伝わると、複数の遊星歯車Ａ２が同時に自転しながら、太陽歯車Ａ３の周りを公転する。
歯車装置Ａから突き出した、ささくれ棒Ｂ１を受け入れる側の装置Ｂは、ささくれ棒Ｂ１の自転により巻き付くトイレットペーパーを一定の長さで切断するための刃Ｂ２と、ささくれ棒Ｂ１の自転と公転を妨げず、装置の形状を維持するための支柱Ｂ３と天上・外壁・内壁を備え、前記天上・外壁・内壁はささくれ棒Ｂ１に巻き付き回転するトイレットペーパーの公転の動きに合わせて、幅・高さを狭めて圧縮するためのサイドレールＢ４および天上レールＢ５の役割も担い、圧縮してできたトイレットペーパーの粒を排出する排出部４を備える。
前記のような機構からなるトイレットペーパーの粒を製造する装置。
【発明の効果】
【０００７】
本発明で製造したトイレットペーパーの粒を利用することで、ペットの排せつ物で汚れた粒をトイレに流すだけで処理できるため、ペット専用の砂を購入して運搬する手間と費用、ゴミ処理で生じる環境負荷を軽減することができる。また従来のトイレに流せるペット用の砂のように下水インフラに負荷をかけずに済む。
【０００８】
断水時やトイレがない場所での緊急時の簡易トイレ用の吸水素材としてもトイレットペーパーの粒が利用できる。
【図面の簡単な説明】
【０００９】
【図１】本発明の断面図、側面図、内面図
【発明を実施するための形態】
【００１０】
以下、本発明の実施の形態を図１に基づいて説明する。
【００１１】
市販されているトイレットペーパー（消臭効果があり、リサイクル品が好ましい）を本体１の胴体部分に沿ってトイレットペーパーが伸びるように芯受け３にセットし、トイレットペーパーの先端をレール２に沿わして装置Ｂ内に少し突っ込むように入れる。
【００１２】
手動回転ハンドル式の回転伝動装置もしくは、図１の電動モーターなどを用いて、歯車装置Ａ内の太陽歯車Ａ３の中心軸に、上面から見て時計回りの回転を伝えると、隣接した遊星歯車Ａ２が時計と反対回りに自転しながら、外側で接触する内歯車Ａ１の自転方向である反時計回りに公転する。遊星歯車Ａ２の軸に固定されたささくれ棒Ｂ１も同様に時計と反対回りに自転しながら、太陽歯車Ａ３の中心に時計と反対回りに公転する。
【００１３】
針のような形状をした、ささくれ棒Ｂ１には、弾性があり若干下向きの細い棘が無数に付いているため、棘がトイレットペーパーの繊維の隙間に入ることで絡め取ることができると同時に、上方からの押し出される力によって、巻き付いたトイレットペーパーをホールドしつつ、下方に送れるようになっている。また先端に行くほどささくれ棒Ｂ１の形状が細くなっているため、トイレットペーパーが先端（排出する方向）に押し出されるほど、より小さく圧縮できる構造となっている。
【００１４】
レール２で軽く圧縮された状態で送られてきたトイレットペーパーにささくれ棒Ｂ１の棘が絡み、ささくれ棒Ｂ１の自転で巻き付くと当時に、ささくれ棒Ｂ１の公転により、引っ張られ、刃Ｂ２の位置で刃により切断され、装置Ｂの内面図のＡ地点に到達する。Ａ地点からＢ地点に進むほど、サイドレールＢ４と天上レールＢ５により空間が狭められており、自転しながらトイレットペーパーが圧縮される。
【００１５】
ささくれ棒Ｂ１に巻き付きながら両サイドと上面から圧縮され、粒状になったトイレットペーパーはＢ地点を過ぎ排出部４に到達すると、天上レールＢ５がＣ地点の底部まで急降下しているため、天上レールＢ５に沿って排出され、トイレットペーパーの粒が完成する。この挙動をささくれ棒Ｂ１の公転とともに繰り返され、多量の粒が完成していく。
【符号の説明】
【００１６】
１      本体
２      レール
３      芯受け
４      排出部
歯車装置Ａ
Ａ１     内歯車
Ａ２    遊星歯車
Ａ３     太陽歯車
装置Ｂ
Ｂ１    ささくれ棒
Ｂ２    刃
Ｂ３     支柱
Ｂ４     サイドレール
Ｂ５     天上レール
【図１】
2018068217.tif 000003